【手続補正書】
【提出日】平成26年1月9日(2014.1.9)
【手続補正１】
【補正対象書類名】明細書
【補正対象項目名】００１５
【補正方法】削除
【補正の内容】
【手続補正２】
【補正対象書類名】明細書
【補正対象項目名】００２１
【補正方法】削除
【補正の内容】
【手続補正３】
【補正対象書類名】明細書
【補正対象項目名】００２２
【補正方法】変更
【補正の内容】
【００２２】
前記挿入ビットプレーンを生成する挿入ビットプレーン生成部をさらに備え、前記挿入ビットプレーン生成部は、前記係数データがビット深度方向に展開された際のビットプレーンの数と、前記復号部により前記符号化データが復号されて得られるビットプレーンの数の差分値の数だけ、前記挿入ビットプレーンを生成することができる。
【手続補正４】
【補正対象書類名】明細書
【補正対象項目名】００２３
【補正方法】削除
【補正の内容】
【手続補正５】
【補正対象書類名】明細書
【補正対象項目名】００７０
【補正方法】変更
【補正の内容】
【００７０】
ビットプレーン展開部１０５は、このように展開したビットプレーンを、係数の最上位ビット（MSB：Most Significant Bit）から最下位ビット（LSB：Least Significant Bit）に向かう順に、非符号化データ量算出部１０６に供給する。つまり、ビットプレーン展開部１０５は、ビット深度の上位ビット側から下位ビット側に向かう順に、展開したビットプレーンを非符号化データ量算出部１０６に供給する。
【手続補正６】
【補正対象書類名】明細書
【補正対象項目名】００８６
【補正方法】変更
【補正の内容】
【００８６】
（１）Significance Propagation Pass  あるビットプレーンを符号化するSignificance Propagation Passでは、８近傍の少なくとも１つの係数が有意（Significant）であるようなnon-significant係数のビットプレーンの値が算術符号化される。その符号化したビットプレーンの値が１である場合は、符号が＋であるか、−であるかが続けて算術符号化される。
【手続補正７】
【補正対象書類名】明細書
【補正対象項目名】０１６８
【補正方法】変更
【補正の内容】
【０１６８】
ステップＳ１６０において、出力制御部１５４は、符号化部１０８を制御し、符号化を終了させる。ステップＳ１６０の処理が終了すると、出力制御部１５４は、レート制御処理を終了し、図１４のステップＳ１０９に処理を戻し、ステップＳ１１０以降の処理を実行させる。
【手続補正８】
【補正対象書類名】明細書
【補正対象項目名】０２４２
【補正方法】変更
【補正の内容】
【０２４２】
選択部３０７は、選択部１０７と同様に符号化ビットプレーン数Ｎを取得する。選択部３０７は、この符号化ビットプレーン数Ｎを用いて、レート制御部３０９に供給するデータをビットプレーン毎に選択する。
【手続補正９】
【補正対象書類名】明細書
【補正対象項目名】０３０４
【補正方法】変更
【補正の内容】
【０３０４】
＜４．第４の実施の形態＞
［パーソナルコンピュータ］
上述した一連の処理は、ハードウェアにより実行させることもできるし、ソフトウェアにより実行させることもできる。この場合、例えば、図３１に示されるようなパーソナルコンピュータとして構成されるようにしてもよい。
【手続補正１０】
【補正対象書類名】特許請求の範囲
【補正対象項目名】全文
【補正方法】変更
【補正の内容】
【特許請求の範囲】
【請求項１】
画像データが直交変換された係数データがビット深度方向に展開されたビットプレーン群の所定の位よりも上位の各ビットプレーンが符号化された各符号化データの中から、必要に応じて下位側の符号化データを優先的に削除することにより、出力データのレート制御を行うレート制御部と、
前記レート制御部により、必要に応じて下位側の符号化データが優先的に削除された前記符号化データと、前記ビットプレーン群の前記所定の位よりも下位の各ビットプレーンを合成し、前記出力データを生成する合成部と
を備える画像処理装置。
【請求項２】
前記レート制御部は、前記出力データに含める前記符号化データの符号量が所定の目標符号量以下となるように、適宜前記符号化データを削除する
請求項１に記載の画像処理装置。
【請求項３】
前記目標符号量を算出する目標符号量算出部をさらに備え、
前記レート制御部は、前記出力データに含める前記符号化データの符号量が、前記目標符号量算出部により算出された前記目標符号量以下となるように、適宜前記符号化データを削除する
請求項２に記載の画像処理装置。
【請求項４】
前記目標符号量算出部は、割り当てられた総データ量から、前記ビットプレーン群の前記所定の位よりも下位の各ビットプレーンのデータ量の総和である非符号化データ量を減算することにより、前記目標符号量を算出する
請求項３に記載の画像処理装置。
【請求項５】
前記非符号化データ量を算出する非符号化データ量算出部をさらに備え、
前記目標符号量算出部は、前記総データ量から、前記非符号化データ量算出部により算出された前記非符号化データ量を減算することにより、前記目標符号量を算出する
請求項４に記載の画像処理装置。
【請求項６】
前記ビットプレーンを符号化する符号化部をさらに備え、
前記レート制御部は、前記符号化部により前記所定の位よりも上位の各ビットプレーンが符号化されて得られた各符号化データの中から、必要に応じて下位側の符号化データを優先的に削除することにより、出力データのレート制御を行う
請求項１に記載の画像処理装置。
【請求項７】
ビットプレーンに対する処理を選択する選択部をさらに備え、
前記選択部は、前記所定の位より上位の各ビットプレーンを、符号化を行うビットプレーンとして選択し、
前記符号化部は、前記選択部により選択された各ビットプレーンを符号化し、
前記レート制御部は、前記符号化部を制御して、必要に応じて下位側の符号化データを符号化させないようにする
請求項６に記載の画像処理装置。
【請求項８】
前記レート制御部は、前記符号化部により生成された符号化データの内、下位側の符号化データを優先的に合成させないようにすることにより、前記下位側の符号化データの削除を行う
請求項７に記載の画像処理装置。
【請求項９】
画像処理装置の画像処理方法であって、
前記画像処理装置のレート制御部が、画像データが直交変換された係数データがビット深度方向に展開されたビットプレーン群の所定の位よりも上位の各ビットプレーンが符号化された各符号化データの中から、必要に応じて下位側の符号化データを優先的に削除することにより、出力データのレート制御を行い、
前記画像処理装置の合成部が、必要に応じて下位側の符号化データが優先的に削除された前記符号化データと、前記ビットプレーン群の前記所定の位よりも下位の各ビットプレーンを合成し、前記出力データを生成する
画像処理方法。
【請求項１０】
画像データが直交変換された係数データがビット深度方向に展開されたビットプレーン群の所定の位よりも上位のビットプレーンの内、上位側の一部のビットプレーンが符号化されて生成された符号化データを復号する復号部と、
前記復号部により前記符号化データが復号されて得られる各ビットプレーンと、符号化されていない前記所定の位よりも下位のビットプレーンとの間に、所定の挿入ビットプレーンを挿入するビットプレーン挿入部と、
前記挿入部により前記挿入ビットプレーンが挿入されたビットプレーン群をビット深度方向に合成するビットプレーン合成部と
を備える画像処理装置。
【請求項１１】
前記ビットプレーン挿入部は、全ての係数の値がゼロのビットプレーンを前記挿入ビットプレーンとして挿入する
請求項１０に記載の画像処理装置。
【請求項１２】
前記挿入ビットプレーンを生成する挿入ビットプレーン生成部をさらに備え、
前記挿入ビットプレーン生成部は、前記係数データがビット深度方向に展開された際のビットプレーンの数と、前記復号部により前記符号化データが復号されて得られるビットプレーンの数の差分値の数だけ、前記挿入ビットプレーンを生成する
請求項１１に記載の画像処理装置。
【請求項１３】
前記コードストリームに含まれる前記符号化データに対してのみ前記復号部により復号を選択する処理選択部をさらに備え、
前記復号部は、前記処理選択部により選択された前記符号化データを復号する
請求項１１に記載の画像処理装置。
【請求項１４】
画像処理装置の画像処理方法であって、
前記画像処理装置の復号部が、画像データが直交変換された係数データがビット深度方向に展開されたビットプレーン群の所定の位よりも上位のビットプレーンの内、上位側の一部のビットプレーンが符号化されて生成された符号化データを復号し、
前記画像処理装置のビットプレーン挿入部が、前記符号化データが復号されて得られる各ビットプレーンと、符号化されていない前記所定の位よりも下位のビットプレーンとの間に、所定の挿入ビットプレーンを挿入し、
前記画像処理装置のビットプレーン合成部が、前記挿入ビットプレーンが挿入されたビットプレーン群をビット深度方向に合成する
画像処理方法。
【手続補正１１】
【補正対象書類名】図面
【補正対象項目名】図２３
【補正方法】変更
【補正の内容】
【図２３】
2012151783.tif 000001